(57)【要約】【課題】簡単な構造でありながら、流路切替の動作が確実である低コストの切替バルブ、及びそれを用いたポンプを提供する。【解決手段】２方向の吐出口１１、１２に分岐する配管内に配されて、少なくとも一方向の吐出口１１、１２に流体を流す切替バルブ１であって、前記分岐部において流体の圧力により回転自在に回転する円盤体４からなり、該円盤体４に流体が通過する切欠からなる通水部２と止水部３とを有し、前記円盤体４に流体の圧力を受けて該円盤体４を回転させる回転機能と、該円盤体４の回転を所定位置で停止させるストッパー機能とを有する。【選択図】図２
2007125124.tif 000002
【特許請求の範囲】
【請求項１】
１つの流路から少なくとも２方向の流路に分岐する配管内に配されて、少なくとも一方向の流路に流体を流す切替バルブであって、
前記分岐部において流体の圧力により回転自在に回転する円盤体からなり、該円盤体に流体が通過する切欠からなる通水部と止水部とを有し、
前記円盤体に流体の圧力を受けて該円盤体を回転させる回転機能と、該円盤体の回転を所定位置で停止させるストッパー機能とを有する
ことを特徴とする切替バルブ。
【請求項２】
前記回転機能が、前記円盤体の流体の受圧部に設けられた羽根からなる
ことを特徴とする請求項１に記載の切替バルブ。
【請求項３】
吸水口と少なくとも２ヶ所の吐出口を有するポンプにおいて、請求項１又は２に記載の切替バルブを、前記少なくとも２ヶ所の吐出口への分岐部に配置したことを特徴とするポンプ。
【請求項４】
ポンプ運転のオン−オフにより発生する流体の流れと停止により前記切替バルブを作動させることを特徴とする請求項３に記載のポンプ。
【発明の詳細な説明】
【技術分野】
【０００１】
本発明は、流体の流路を切り替えるためにポンプの配管内に配置される切替バルブ及びそれを用いたポンプに関する。
【背景技術】
【０００２】
例えば、食器洗い機に使用されるポンプは、食器洗い機内の水槽に貯留された洗浄水を吸水し洗浄ノズルに圧送し、洗浄槽内に収納された食器類に噴射して洗浄やすすぎ洗いを行う機能と、洗浄により汚れた汚水を外部に排水する機能を満たすために、正転逆転兼用の羽根車と、その吸水口と２ヶ所の吐出口を備え、正転時には洗浄水をポンプ内に吸水して第１吐出口から洗浄水を圧送し食器類を洗浄しながら食器洗い機内を循環させ、又は逆転時には水槽に戻った汚水を第２吐出口から機外に排出するものが一般的である（例えば、特許文献１）。
【０００３】
また、ポンプ内で流路を２方向に切り替える場合、配管内にソレノイドバルブやアクチェエータバルブなどの切替バルブを配置して１方向の流路を選択することが行われている。
【特許文献１】特開２０００−３３３８９６号公報
【発明の開示】
【発明が解決しようとする課題】
【０００４】
しかしながら、上記のようなポンプでは、ポンプの正転逆転を制御するための制御回路、正逆転兼用の羽根車や逆流を防止するための逆止弁、或いは逆止弁機能を持つ切替バルブを要し、部品点数の増加及びポンプ構造が複雑になるに伴いコストも上昇するという問題がある。
【０００５】
また、配管内にソレノイドバルブやアクチェエータバルブなどの切替バルブを配置するものは、切替バルブが高価なものとなって製品コストに影響し、市場の低価格化要求に反するものとなっている。
【０００６】
本発明は、上記問題に鑑みて、簡単な構造でありながら、流路切替の動作が確実である低コストの切替バルブ、及びそれを用いたポンプを提供することを目的とする。
【課題を解決するための手段】
【０００７】
請求項１の発明は、１つの流路から少なくとも２方向の流路に分岐する配管内に配されて、少なくとも一方向の流路に流体を流す切替バルブであって、前記分岐部において流体の圧力により回転自在に回転する円盤体からなり、該円盤体に流体が通過する切欠からなる通水部と止水部とを有し、前記円盤体に流体の圧力を受けて該円盤体を回転させる回転機能と、該円盤体の回転を所定位置で停止させるストッパー機能とを有することを特徴とする切替バルブである。
【０００８】
請求項２の発明は、前記回転機能が、前記円盤体の流体の受圧部に設けられた羽根からなることを特徴とする請求項１に記載の切替バルブである。
【０００９】
請求項３の発明は、吸水口と少なくとも２ヶ所の吐出口を有するポンプにおいて、請求項１又は２に記載の切替バルブを、前記少なくとも２ヶ所の吐出口への分岐部に配置したことを特徴とするポンプである。
【００１０】
請求項４の発明は、ポンプ運転のオン−オフにより発生する流体の流れと停止により前記切替バルブを作動させることを特徴とする請求項３に記載のポンプである。
【発明の効果】
【００１１】
本発明の切替バルブによれば、簡単な構造でありながら、流路切替の動作が確実である低コストの切替バルブを提供することができ、少なくとも２ヶ所の流路から選択し流体を所定の流路に確実に流すことができる。また、この切替バルブを用いたポンプは、部品点数増や構造の複雑化を伴うことがなく、またソレノイドバルブなどの高価な部品を不要し、ポンプ及びこのポンプを用いた製品の軽量、小形化、低価格化を実現するものとなる。
【発明を実施するための最良の形態】
【００１２】
本発明の実施形態について、以下に図面に基づいて説明する。
【００１３】
図１、図２は実施形態の切替バルブを配置したポンプの吐出部の縦断面図、図３は図１、図２の吐出部内部を模式的に示す平面図である。図１はポンプ運転のオフ時を示し、図２及び図３はポンプ運転のオン時を示す。
【００１４】
図において、符号１０は吐出管、１１は吐出管１０に設けられた第１の吐出口、１２は第２の吐出口であり、１５はポンプ本体側の１流路からなる吐出口である。
【００１５】
上記ポンプとしては、渦流ポンプ、軸流ポンプなど羽根車の回転によりポンプ内に渦流を発生させ揚水を行うものが一般に用いられる。
【００１６】
吐出管１０はポンプの吐出口１５に接続されており、ポンプのオン時には流体が吐出口１５から吐出管１０内に圧送される。
【００１７】
吐出管１０は、管壁１６によって仕切られた第１の吐出口１１と第２の吐出口１２を有し、ポンプの吐出口１５から圧送された流体を２方向の流路に流すようになっている。
【００１８】
吐出管１０と吐出口１５の間の流路分岐部には、切替バルブ１が配設されている。
【００１９】
切替バルブ１は、円盤体からなるバルブ本体４とその中心に貫通された回転軸５とで構成され、回転軸５の上下端部が吐出管１０側の支持穴１８と吐出口１５側の支持部１４に設けられた支持穴１７に挿入され回転自在に支持されている。
【００２０】
切替バルブ１の本体４の上部中央部にはバルブの回転停止用の凹陥部６が設けられ、吐出管１０の管壁１６中央下端に設けられたストッパー部１３に係合し、爪と爪車などのストッパー手段により所定位置で切替バルブ１の回転が停止するようになっている。
【００２１】
切替バルブ１はポンプから圧送されてくる流体により、例えば図４に示すバルブ本体４から下方に突出した羽根７が流体を受けて所定方向に回転しながら、バルブ底部が流体により押圧され上昇し、上記凹陥部６とストッパー部１３とからなるストッパー手段が係合し停止する。
【００２２】
図３に示すように、切替バルブ１の円盤状本体４には、流体を通過させる貫通孔からなる通水部２と流体を通過させない止水部３とが、吐出管１０側の開口形状に合わせて回転軸５を中心に対向し設けられている。
【００２３】
上記構成により、ポンプのオン時には、図２に示すように、ポンプから圧送されてくる流体により切替バルブ１が回転しながら上方に押圧され上昇し、上記凹陥部６とストッパー部１３とが係合し所定位置で切替バルブ１が停止する。
【００２４】
図３は切替バルブ１の回転が９０°毎に停止するように設定された場合であり、図において、ポンプオン時に、（ａ）の状態ではポンプ側吐出口１５と吐出管１０の第１吐出口１１とが通水部２を介して連通され、第２吐出口１２は止水部３により吐出口１５との間が閉塞され、第１吐出口１１のみから流体が吐出される。
【００２５】
ポンプのオフ時には、図１に示すように、切替バルブ１を押圧する流圧が解除され、切替バルブ１はポンプ側吐出口１５に設けられた支持部１４まで自重で落下する。
【００２６】
図３（ｂ）は、ポンプが再度オンされた時の切替バルブ１を示すもので、この場合は切替バルブ１が（ａ）の位置から回転しながら上昇し、９０°回転した位置で上記ストッパー手段により停止し、ポンプ側吐出口１５と吐出管１０の第１吐出口１１及び第２吐出口１２とが通水部２を介して連通され、第１吐出口１１と第２吐出口１２の両方向に流体が送られる。ポンプをオフにすると切替バルブ１は自然落下する。
【００２７】
図３（ｃ）は、ポンプが再度オンされた時の切替バルブ１を示すもので、この場合は切替バルブ１が（ｂ）の位置から回転しながら上昇し、９０°回転した位置でストッパー手段により停止し、ポンプ側吐出口１５と吐出管１０の第２吐出口１２とが通水部２を介して連通され、第１吐出口１１は止水部３のより吐出口１５との間が閉塞され、第２吐出口１２のみから流体が吐出される。ポンプをオフにすると切替バルブ１は再度自然落下する。
【００２８】
図３（ｄ）は、ポンプが再度オンされた時の切替バルブ１を示すもので、この場合は切替バルブ１が（ｃ）の位置から回転しながら上昇し、９０°回転した位置でストッパー手段により停止し、ポンプ側吐出口１５と吐出管１０の第１吐出口１１及び第２吐出口１２とが通水部２を介して連通され、第１吐出口１１と第２吐出口１２の両方向に流体が送られる。ポンプをオフにすると切替バルブ１は自然落下し、再度ポンプをオンすると切替バルブ１は（ａ）の状態て停止し、流体を第１吐出口１１のみから吐出する。
【００２９】
上記のように、切替バルブ１を用いることで、ポンプのオン−オフの繰り返しで流体を送る方向を切り替えることができるので、従来のようなポンプの運転方向の切り替えを不要とし、そのための制御回路や正逆転兼用の羽根車などの部品点数を削減或いは簡素化し、またポンプ内部の配管や配管廻りの簡略化を可能とし、ポンプの軽量、小形化、低価格化を図ることができる。
【００３０】
［変形例］
図５は変形例の切替バルブ２０を示す、吐出口内部を模式的に示す平面図である。
【００３１】
吐出管３０は、略１２０°毎に分割された第１吐出口３１、第２吐出口３２，第３吐出口３３を備え、３方向に流路を形成している。
【００３２】
切替バルブ２０は、バルブ本体２４に回転軸５を中心に略１２０°の中心角を有する扇形状の貫通孔からなる通水部２２を設け、それ以外の本体部は止水部２３を形成している。
【００３３】
上記構成により、ポンプのオン−オフにより切替バルブ２０の回転を３ヶ所の吐出口に合わせて１２０°毎に停止するように設定すると、ポンプからの流体は上記３方向の内の１つの吐出口から吐出することができる。
【００３４】
さらに、切替バルブの回転を６０°毎に停止するように設定すると、３方向の内の１つ又は２つの吐出口から流体を吐出口することも可能となる。
【産業上の利用可能性】
【００３５】
本発明の切替バルブを用いたポンプは、食器洗浄機、給湯器、温水床暖房装置など複数の送付先に水、湯、オイル等の流体を供給する機器、装置に使用できる。
【図面の簡単な説明】
【００３６】
【図１】実施形態のポンプ吐出口部の縦断面図である（ポンプオフ時）。
【図２】実施形態のポンプ吐出口部の縦断面図である（ポンプオン時）。
【図３】実施形態のポンプ吐出口内部を模式的に示す平面図である。
【図４】実施形態のポンプ吐出口内部を下方から見た平面図である。
【図５】変形例のポンプ吐出口を模式的に示す平面図である。
【符号の説明】
【００３７】
１……切替バルブ
２……通水部
３……止水部
４……円盤体（バルブ本体）
１１、１２……吐出口
【図１】
2007125124.tif 000003
【図２】
2007125124.tif 000004
【図３】
2007125124.tif 000005
【図４】
2007125124.tif 000006
【図５】
2007125124.tif 000007